(57)【特許請求の範囲】
【請求項１】
ヘッダ圧縮技術が用いられる移動通信方法であって、
第１の基地局が、前記第１の基地局から第２の基地局への無線端末のハンドオーバ手順の際に、前記無線端末宛てのヘッダ圧縮パケットを前記第２の基地局にフォワーディングするステップと、
前記第２の基地局が、前記ハンドオーバ手順の際に、前記フォワーディングされたヘッダ圧縮パケットと、コアネットワークからの前記無線端末宛てのヘッダ非圧縮パケットとを受信すると、該ヘッダ圧縮パケット及び該ヘッダ非圧縮パケットを使用して、該ヘッダ圧縮パケットのヘッダ圧縮レベルに対応するヘッダ関連情報を生成するステップと、
前記第２の基地局が、前記ハンドオーバ手順の完了後に、前記生成したヘッダ関連情報を使用して、前記コアネットワークから受信した前記無線端末宛てのヘッダ非圧縮パケットに対するヘッダ圧縮を行うとともに、該ヘッダ圧縮により得られたヘッダ圧縮パケットを前記無線端末に送信するステップと、
を有することを特徴とする移動通信方法。
【請求項２】
前記ヘッダ関連情報を生成するステップは、
前記フォワーディングされたヘッダ圧縮パケットのヘッダ圧縮レベルを特定するステップと、
前記特定されたヘッダ圧縮レベルに基づき、前記コアネットワークから受信した前記無線端末宛ての１つのヘッダ非圧縮パケットから、固定されている値として分類されるべきパケットヘッダフィールドの各パラメータを取得する第１の取得ステップと、
を含み、
前記ヘッダ関連情報は、前記第１の取得ステップで取得された各パラメータを含むことを特徴とする請求項１に記載の移動通信方法。
【請求項３】
前記ヘッダ関連情報を生成するステップは、
前記特定されたヘッダ圧縮レベルに基づき、前記コアネットワークから受信した前記無線端末宛ての複数のヘッダ非圧縮パケットを使用して、規則性を有する値として分類されるべきパケットヘッダフィールドの各パラメータの算出に使用する値を取得する第２の取得ステップをさらに含み、
前記ヘッダ関連情報は、前記第２の取得ステップで取得された値をさらに含むことを特徴とする請求項２に記載の移動通信方法。
【請求項４】
前記ハンドオーバ手順の際に、前記無線端末が前記第１の基地局との間で使用していたヘッダ関連情報を保持させるための情報を、前記第１の基地局から前記無線端末に送信するステップと、
前記無線端末が、前記第１の基地局から前記情報を受信した場合に、前記第１の基地局との間で使用していた前記ヘッダ関連情報を保持しながら前記ハンドオーバ手順を行うステップと、
前記無線端末が、前記ハンドオーバ手順の完了後に、前記保持しているヘッダ関連情報を使用して、前記第２の基地局から受信した前記ヘッダ圧縮パケットに対するヘッダ解凍を行うステップと、
をさらに有することを特徴とする請求項１〜３の何れか一項に記載の移動通信方法。
【請求項５】
ヘッダ圧縮技術が用いられる移動通信システムの基地局であって、
他の基地局及びコアネットワークとの通信を行うネットワーク通信部と、
無線端末との通信を行う無線通信部と、
前記ネットワーク通信部及び前記無線通信部を制御する制御部と、
を有し、
前記制御部は、
前記他の基地局から自局への前記無線端末のハンドオーバ手順の際に、前記他の基地局からの前記無線端末宛てのヘッダ圧縮パケットと、コアネットワークからの前記無線端末宛てのヘッダ非圧縮パケットとを前記ネットワーク通信部が受信すると、該ヘッダ圧縮パケット及び該ヘッダ非圧縮パケットを使用して、該ヘッダ圧縮パケットのヘッダ圧縮レベルに対応するヘッダ関連情報を生成し、
前記ハンドオーバ手順の完了後に、前記生成したヘッダ関連情報を使用して、前記コアネットワークから受信した前記無線端末宛てのヘッダ非圧縮パケットに対するヘッダ圧縮を行うとともに、該ヘッダ圧縮により得られたヘッダ圧縮パケットを前記無線通信部から前記無線端末に送信する、
よう制御することを特徴とする基地局。
【請求項６】
ヘッダ圧縮技術が用いられる移動通信方法であって、
第１の基地局が、前記第１の基地局から第２の基地局への無線端末のハンドオーバ手順の際に、前記無線端末からコアネットワーク宛てのヘッダ非圧縮パケットを前記第２の基地局にフォワーディングするステップと、
前記第２の基地局が、前記ハンドオーバ手順の際に、前記フォワーディングされたヘッダ非圧縮パケットと、前記無線端末からのヘッダ圧縮パケットとを受信すると、該ヘッダ非圧縮パケット及び該ヘッダ圧縮パケットを使用して、該ヘッダ圧縮パケットのヘッダ圧縮レベルに対応するヘッダ関連情報を生成するステップと、
前記第２の基地局が、前記ハンドオーバ手順の完了後に、前記生成したヘッダ関連情報を使用して、前記無線端末から受信したヘッダ圧縮パケットに対するヘッダ解凍を行うとともに、該ヘッダ解凍により得られたヘッダ非圧縮パケットを前記コアネットワークに送信するステップと、
を有することを特徴とする移動通信方法。
【請求項７】
前記ヘッダ関連情報を生成するステップは、
前記無線端末からの前記ヘッダ圧縮パケットのヘッダ圧縮レベルを特定するステップと、
前記特定されたヘッダ圧縮レベルに基づき、前記第１の基地局からフォワーディングされた１つのヘッダ非圧縮パケットから、固定されている値として分類されるべきパケットヘッダフィールドの各パラメータを取得する第１の取得ステップと、
を含み、
前記ヘッダ関連情報は、前記第１の取得ステップで取得された各パラメータを含むことを特徴とする請求項６に記載の移動通信方法。
【請求項８】
前記ヘッダ関連情報を生成するステップは、
前記特定されたヘッダ圧縮レベルに基づき、前記第１の基地局からフォワーディングされた複数のヘッダ非圧縮パケットを使用して、規則性を有する値として分類されるべきパケットヘッダフィールドの各パラメータの算出に使用する値を取得する第２の取得ステップをさらに含み、
前記ヘッダ関連情報は、前記第２の取得ステップで取得された値をさらに含むことを特徴とする請求項７に記載の移動通信方法。
【請求項９】
前記ハンドオーバ手順の際に、前記無線端末が前記第１の基地局との間で使用していたヘッダ関連情報を保持させるための情報を、前記第１の基地局から前記無線端末に送信するステップと、
前記無線端末が、前記第１の基地局から前記情報を受信した場合に、前記第１の基地局との間で使用していた前記ヘッダ関連情報を保持しながら前記ハンドオーバ手順を行うステップと、
前記無線端末が、前記ハンドオーバ手順の完了後、前記保持しているヘッダ関連情報を使用して、前記第２の基地局に送信すべきヘッダ非圧縮パケットに対するヘッダ圧縮を行うとともに、該ヘッダ圧縮により得られたヘッダ圧縮パケットを前記第２の基地局に送信するステップと、
をさらに有することを特徴とする請求項６〜８の何れか一項に記載の移動通信方法。
【請求項１０】
ヘッダ圧縮技術が用いられる移動通信システムの基地局であって、
他の基地局及びコアネットワークとの通信を行うネットワーク通信部と、
無線端末との通信を行う無線通信部と、
前記ネットワーク通信部及び前記無線通信部を制御する制御部と、
を有し、
前記制御部は、
前記他の基地局から自局への前記無線端末のハンドオーバ手順の際に、前記無線端末からコアネットワーク宛てのヘッダ非圧縮パケットを前記ネットワーク通信部が前記他の基地局から受信し、且つ前記無線端末からのヘッダ圧縮パケットを前記無線通信部が受信すると、該ヘッダ非圧縮パケット及び該ヘッダ圧縮パケットを使用して、該ヘッダ圧縮パケットのヘッダ圧縮レベルに対応するヘッダ関連情報を生成し、
前記ハンドオーバ手順の完了後に、前記生成したヘッダ関連情報を使用して、前記無線端末から前記無線通信部が受信したヘッダ圧縮パケットに対するヘッダ解凍を行うとともに、該ヘッダ解凍により得られたヘッダ非圧縮パケットを前記ネットワーク通信部から前記コアネットワークに送信する、
よう制御することを特徴とする基地局。
【発明の詳細な説明】
【技術分野】
【０００１】
本発明は、ヘッダ圧縮技術が用いられる移動通信システムの移動通信方法及び基地局に関する。
【背景技術】
【０００２】
移動通信システムの標準化プロジェクトである３ＧＰＰ（3rd Generation Partnership Project）では、より高速・大容量の通信を実現するために、ＬＴＥ（Long Term Evolution）、及びＬＴＥを高度化したＬＴＥ  Ａｄｖａｎｃｅｄの仕様が策定されている。
【０００３】
このような移動通信システムにおいては、無線区間を介して送受信するパケットにおけるヘッダの占める割合、すなわちオーバヘッドを低減するために、ヘッダ圧縮技術の一つであるＲＯＨＣ（Robust Header Compression）プロトコルが用いられる（非特許文献１参照）。ＲＯＨＣプロトコルによれば、ＩＰ（Internet Protocol）、ＵＤＰ（User Datagram Protocol）、ＲＴＰ（Real-time Transport Protocol）等の様々な形式のパケットヘッダを最大で１バイトまで圧縮できる。
【０００４】
ヘッダ圧縮技術では、無線端末及び基地局のそれぞれは、送受信するパケットに基づいてヘッダ関連情報を構築し、互いに共有するヘッダ関連情報を使用して、無線区間を介して送受信するパケットのヘッダ圧縮及び解凍を行う。このようなヘッダ圧縮技術では、無線端末及び基地局でヘッダ関連情報が構築されていくのに従って、ヘッダ圧縮レベルを順次上昇させることができる。ＲＯＨＣプロトコルにおいてヘッダ関連情報は、ＲＯＨＣコンテキストと称されている。
【先行技術文献】
【非特許文献】
【０００５】
【非特許文献１】3GPP TS 36.300 V10.1.0 (2010-09)
【発明の概要】
【発明が解決しようとする課題】
【０００６】
しかしながら、第１の基地局（ソース基地局）から第２の基地局（ターゲット基地局）への無線端末のハンドオーバ手順を行うと、第１の基地局と無線端末との間でヘッダ関連情報が構築されていても、第２の基地局と無線端末との間でヘッダ関連情報の構築を最初からやり直す必要がある。
【０００７】
このため、ヘッダ圧縮技術が用いられる移動通信システムにおいては、ハンドオーバ手順の完了後暫くはヘッダ圧縮レベルが低くなり、オーバヘッドが増大するという問題があった。
【０００８】
そこで、本発明は、ヘッダ圧縮技術が用いられる移動通信システムにおいて、ハンドオーバ手順の完了後におけるオーバヘッド増大を抑制できる移動通信方法及び基地局を提供することを目的とする。
【課題を解決するための手段】
【０００９】
上述した課題を解決するために、本発明は以下のような特徴を有している。まず、本発明に係る移動通信方法の特徴は、ヘッダ圧縮技術が用いられる移動通信方法であって、第１の基地局（ソース基地局ｅＮＢ＃１）が、前記第１の基地局から第２の基地局（ターゲット基地局ｅＮＢ＃２）への無線端末（無線端末ＵＥ）のハンドオーバ手順の際に、前記無線端末宛てのヘッダ圧縮パケットを前記第２の基地局にフォワーディングするステップと、前記第２の基地局が、前記ハンドオーバ手順の際に、前記フォワーディングされたヘッダ圧縮パケットと、コアネットワーク（コアネットワークＥＰＣ）からの前記無線端末宛てのヘッダ非圧縮パケットとを受信すると、該ヘッダ圧縮パケット及び該ヘッダ非圧縮パケットを使用して、該ヘッダ圧縮パケットのヘッダ圧縮レベルに対応するヘッダ関連情報（ＲＯＨＣコンテキスト）を生成するステップと、前記第２の基地局が、前記ハンドオーバ手順の完了後に、前記生成したヘッダ関連情報を使用して、前記コアネットワークから受信した前記無線端末宛てのヘッダ非圧縮パケットに対するヘッダ圧縮を行うとともに、該ヘッダ圧縮により得られたヘッダ圧縮パケットを前記無線端末に送信するステップと、を有することを要旨とする。
【００１０】
このような特徴によれば、第２の基地局は、ハンドオーバ手順の際に、第１の基地局からのヘッダ圧縮パケットと、コアネットワークからのヘッダ非圧縮パケットとを使用して、該ヘッダ圧縮パケットのヘッダ圧縮レベルに対応するヘッダ関連情報を生成する。そして、第２の基地局は、ハンドオーバ手順の完了後において、ハンドオーバ手順の際に生成したヘッダ関連情報を使用して、コアネットワークから受信したヘッダ非圧縮パケットに対するヘッダ圧縮を行うとともに、該ヘッダ圧縮により得られたヘッダ圧縮パケットを無線端末に送信する。
【００１１】
これにより、下りリンクについて、ハンドオーバ手順の前後においてヘッダ圧縮レベルを維持することができ、ハンドオーバ手順の完了後におけるオーバヘッド増大を抑制できる。
【００１２】
本発明に係る移動通信方法の他の特徴は、上記特徴に係る移動通信方法において、前記ヘッダ関連情報を生成するステップは、前記フォワーディングされたヘッダ圧縮パケットのヘッダ圧縮レベルを特定するステップと、前記特定されたヘッダ圧縮レベルに基づき、前記コアネットワークから受信した前記無線端末宛ての１つのヘッダ非圧縮パケットから、固定されている値として分類されるべきパケットヘッダフィールドの各パラメータを取得する第１の取得ステップと、を含み、前記ヘッダ関連情報は、前記第１の取得ステップで取得された各パラメータを含むことを要旨とする。
【００１３】
本発明に係る移動通信方法の他の特徴は、上記特徴に係る移動通信方法において、前記ヘッダ関連情報を生成するステップは、前記特定されたヘッダ圧縮レベルに基づき、前記コアネットワークから受信した前記無線端末宛ての複数のヘッダ非圧縮パケットを使用して、規則性を有する値として分類されるべきパケットヘッダフィールドの各パラメータの算出に使用する値を取得する第２の取得ステップをさらに含み、前記ヘッダ関連情報は、前記第２の取得ステップで取得された値をさらに含むことを要旨とする。
【００１４】
本発明に係る移動通信方法の他の特徴は、上記特徴に係る移動通信方法において、前記ハンドオーバ手順の際に、前記無線端末が前記第１の基地局との間で使用していたヘッダ関連情報を保持させるための情報を、前記第１の基地局から前記無線端末に送信するステップと、前記無線端末が、前記第１の基地局から前記情報を受信した場合に、前記第１の基地局との間で使用していた前記ヘッダ関連情報を保持しながら前記ハンドオーバ手順を行うステップと、前記無線端末が、前記ハンドオーバ手順の完了後に、前記保持しているヘッダ関連情報を使用して、前記第２の基地局から受信した前記ヘッダ圧縮パケットに対するヘッダ解凍を行うステップと、をさらに有することを要旨とする。
【００１５】
本発明に係る基地局の特徴は、ヘッダ圧縮技術が用いられる移動通信システム（移動通信システム１）の基地局（ターゲット基地局ｅＮＢ＃２）であって、他の基地局（ソース基地局ｅＮＢ＃１）及びコアネットワーク（コアネットワークＥＰＣ）との通信を行うネットワーク通信部（ネットワーク通信部１２０＃２）と、無線端末（無線端末ＵＥ）との通信を行う無線通信部（無線通信部１１０＃２）と、前記ネットワーク通信部及び前記無線通信部を制御する制御部（制御部１４０＃２）と、を有し、前記制御部は、前記他の基地局から自局への前記無線端末のハンドオーバ手順の際に、前記他の基地局からの前記無線端末宛てのヘッダ圧縮パケットと、コアネットワークからの前記無線端末宛てのヘッダ非圧縮パケットとを前記ネットワーク通信部が受信すると、該ヘッダ圧縮パケット及び該ヘッダ非圧縮パケットを使用して、該ヘッダ圧縮パケットのヘッダ圧縮レベルに対応するヘッダ関連情報を生成し、前記ハンドオーバ手順の完了後に、前記生成したヘッダ関連情報を使用して、前記コアネットワークから受信した前記無線端末宛てのヘッダ非圧縮パケットに対するヘッダ圧縮を行うとともに、該ヘッダ圧縮により得られたヘッダ圧縮パケットを前記無線通信部から前記無線端末に送信する、よう制御することを要旨とする。
【００１６】
本発明に係る移動通信方法の特徴は、ヘッダ圧縮技術が用いられる移動通信方法であって、第１の基地局（ソース基地局ｅＮＢ＃１）が、前記第１の基地局から第２の基地局（ターゲット基地局ｅＮＢ＃２）への無線端末（無線端末ＵＥ）のハンドオーバ手順の際に、前記無線端末からコアネットワーク（コアネットワークＥＰＣ）宛てのヘッダ非圧縮パケットを前記第２の基地局にフォワーディングするステップと、前記第２の基地局が、前記ハンドオーバ手順の際に、前記フォワーディングされたヘッダ非圧縮パケットと、前記無線端末からのヘッダ圧縮パケットとを受信すると、該ヘッダ非圧縮パケット及び該ヘッダ圧縮パケットを使用して、該ヘッダ圧縮パケットのヘッダ圧縮レベルに対応するヘッダ関連情報を生成するステップと、前記第２の基地局が、前記ハンドオーバ手順の完了後に、前記生成したヘッダ関連情報を使用して、前記無線端末から受信したヘッダ圧縮パケットに対するヘッダ解凍を行うとともに、該ヘッダ解凍により得られたヘッダ非圧縮パケットを前記コアネットワークに送信するステップと、を有することを要旨とする。
【００１７】
このような特徴によれば、第２の基地局は、ハンドオーバ手順の際に、第１の基地局からのヘッダ非圧縮パケットと、無線端末からのヘッダ圧縮パケットと使用して、該ヘッダ圧縮パケットのヘッダ圧縮レベルに対応するヘッダ関連情報を生成する。そして、第２の基地局は、ハンドオーバ手順の完了後において、ハンドオーバ手順の際に生成したヘッダ関連情報を使用して、無線端末から受信したヘッダ圧縮パケットに対するヘッダ解凍を行うとともに、該ヘッダ解凍により得られたヘッダ非圧縮パケットをコアネットワークに送信する。
【００１８】
これにより、上りリンクについて、ハンドオーバ手順の前後においてヘッダ圧縮レベルを維持することができ、ハンドオーバ手順の完了後におけるオーバヘッド増大を抑制できる。
【００１９】
本発明に係る移動通信方法の他の特徴は、上記特徴に係る移動通信方法において、前記ヘッダ関連情報を生成するステップは、前記無線端末からの前記ヘッダ圧縮パケットのヘッダ圧縮レベルを特定するステップと、前記特定されたヘッダ圧縮レベルに基づき、前記第１の基地局からフォワーディングされた１つのヘッダ非圧縮パケットから、固定されている値として分類されるべきパケットヘッダフィールドの各パラメータを取得する第１の取得ステップと、を含み、前記ヘッダ関連情報は、前記第１の取得ステップで取得された各パラメータを含むことを要旨とする。
【００２０】
本発明に係る移動通信方法の他の特徴は、上記特徴に係る移動通信方法において、前記ヘッダ関連情報を生成するステップは、前記特定されたヘッダ圧縮レベルに基づき、前記第１の基地局からフォワーディングされた複数のヘッダ非圧縮パケットを使用して、規則性を有する値として分類されるべきパケットヘッダフィールドの各パラメータの算出に使用する値を取得する第２の取得ステップをさらに含み、前記ヘッダ関連情報は、前記第２の取得ステップで取得された値をさらに含むことを要旨とする。
【００２１】
本発明に係る移動通信方法の他の特徴は、上記特徴に係る移動通信方法において、前記ハンドオーバ手順の際に、前記無線端末が前記第１の基地局との間で使用していたヘッダ関連情報を保持させるための情報を、前記第１の基地局から前記無線端末に送信するステップと、前記無線端末が、前記第１の基地局から前記情報を受信した場合に、前記第１の基地局との間で使用していた前記ヘッダ関連情報を保持しながら前記ハンドオーバ手順を行うステップと、前記無線端末が、前記ハンドオーバ手順の完了後、前記保持しているヘッダ関連情報を使用して、前記第２の基地局に送信すべきヘッダ非圧縮パケットに対するヘッダ圧縮を行うとともに、該ヘッダ圧縮により得られたヘッダ圧縮パケットを前記第２の基地局に送信するステップと、をさらに有することを要旨とする。
【００２２】
本発明に係る基地局の特徴は、ヘッダ圧縮技術が用いられる移動通信システムの基地局（ターゲット基地局ｅＮＢ＃２）であって、他の基地局（ソース基地局ｅＮＢ＃１）及びコアネットワーク（コアネットワークＥＰＣ）との通信を行うネットワーク通信部（ネットワーク通信部１２０＃２）と、無線端末（無線端末ＵＥ）との通信を行う無線通信部（無線通信部１１０＃２）と、前記ネットワーク通信部及び前記無線通信部を制御する制御部（制御部１４０＃２）と、を有し、前記制御部は、前記他の基地局から自局への前記無線端末のハンドオーバ手順の際に、前記無線端末からコアネットワーク宛てのヘッダ非圧縮パケットを前記ネットワーク通信部が前記他の基地局から受信し、且つ前記無線端末からのヘッダ圧縮パケットを前記無線通信部が受信すると、該ヘッダ非圧縮パケット及び該ヘッダ圧縮パケットを使用して、該ヘッダ圧縮パケットのヘッダ圧縮レベルに対応するヘッダ関連情報を生成し、前記ハンドオーバ手順の完了後に、前記生成したヘッダ関連情報を使用して、前記無線端末から前記無線通信部が受信したヘッダ圧縮パケットに対するヘッダ解凍を行うとともに、該ヘッダ解凍により得られたヘッダ非圧縮パケットを前記ネットワーク通信部から前記コアネットワークに送信する、よう制御することを要旨とする。
【発明の効果】
【００２３】
本発明によれば、ヘッダ圧縮技術が用いられる移動通信システムにおいて、ハンドオーバ手順の完了後におけるオーバヘッド増大を抑制できる移動通信方法及び基地局を提供できる。
【図面の簡単な説明】
【００２４】
【図１】本発明の実施形態の移動通信システムの全体概略構成図である。
【図２】本発明の実施形態のＲＯＨＣコンプレッサ及びＲＯＨＣデコンプレッサを説明するための図である。
【図３】ＲＴＰ／ＵＤＰ／ＩＰヘッダのパケットヘッダフィールドを示す図である。
【図４】ＲＯＨＣコンテキストを説明するための図である。
【図５】ＲＯＨＣプロトコルで規定されたヘッダ圧縮レベルを説明するための図である。
【図６】図６（ａ）は、本発明の実施形態のソース基地局の構成を示すブロック図であり、図６（ｂ）は、本発明の実施形態のターゲット基地局ｅＮＢ＃２の構成を示すブロック図である。
【図７】本発明の実施形態の無線端末の構成を示すブロック図である。
【図８】本発明の実施形態のハンドオーバ手順の概要を説明するためのシーケンス図である。
【図９】本発明の実施形態の下りリンクに係るＲＯＨＣコンテキスト生成動作の概要を説明するための図である。
【図１０】本発明の実施形態の下りリンクに係るソース基地局の動作を示すフローチャートである。
【図１１】本発明の実施形態の下りリンクに係るターゲット基地局の動作を示すフローチャートである。
【図１２】本発明の実施形態の上りリンクに係るＲＯＨＣコンテキスト生成動作の概要を説明するための図である。
【図１３】本発明の実施形態の上りリンクに係るソース基地局の動作を示すフローチャートである。
【図１４】本発明の実施形態の上りリンクに係るターゲット基地局の動作を示すフローチャートである。
【発明を実施するための形態】
【００２５】
図面を参照して、本発明の実施形態について、（１）移動通信システムの概要、（２）内部ブロック構成、（３）ハンドオーバ手順の概要、（４）下りリンクに係るＲＯＨＣコンテキスト生成動作、（５）上りリンクに係るＲＯＨＣコンテキスト生成動作、（６）実施形態の効果、（７）その他の実施形態の順に説明する。以下の実施形態における図面において、同一又は類似の部分には同一又は類似の符号を付す。
【００２６】
（１）移動通信システムの概要
まず、本実施形態に係る移動通信システムの概要について、（１．１）移動通信システムの概略構成、（１．２）ＲＯＨＣプロトコルの概要の順に説明する。
【００２７】
（１．１）移動通信システムの概略構成
図１は、本実施形態に係る移動通信システム１の全体概略構成図である。移動通信システム１は、３ＧＰＰで仕様が策定されているＬＴＥ（Long Term Evolution）に基づいて構成されている。
【００２８】
図１に示すように、移動通信システム１は、無線端末（ＵＥ： User Equipment）と、基地局（ｅＮＢ： evolved Node-B）と、移動管理装置（ＭＭＥ：  Mobility Management Entity）と、ゲートウェイ装置（Ｓ−ＧＷ： Serving Gateway）とを有する。
【００２９】
複数の基地局ｅＮＢは、無線アクセスネットワーク（E-UTRAN: Evolved-UMTS Terrestrial Radio Access  Network）を構成する。複数の移動管理装置ＭＭＥ及び複数のゲートウェイ装置Ｓ−ＧＷは、コアネットワーク（EPC: Evolved Packet Core）を構成する。
【００３０】
複数の基地局ｅＮＢのそれぞれは、無線端末ＵＥにサービスを提供すべき通信エリアを形成する。該通信エリアは、最小エリア単位であるセルを１つ又は複数用いて構成される。
【００３１】
無線端末ＵＥは、ユーザが所持する無線通信装置であり、ユーザ装置とも称される。無線端末ＵＥは、通信中において、サービング基地局（或いはサービングセル）の切り替え、すなわちハンドオーバを行うことができる。
【００３２】
以下においては、ハンドオーバにおいて切り替え元になる基地局をソース基地局ｅＮＢ＃１と称し、切り替え先の基地局をターゲット基地局ｅＮＢ＃２と称する。なお、ＬＴＥはハードハンドオーバを採用しており、ハンドオーバ時においてソース基地局ｅＮＢ＃１からターゲット基地局ｅＮＢ＃２へのデータフォワーディングが行われる。
【００３３】
互いに隣接する各基地局ｅＮＢは、基地局間通信のための論理インターフェイスであるＸ２インターフェイスを用いて通信可能である。隣接し合う基地局ｅＮＢは、Ｘ２インターフェイスを用いて、パケット管理やハンドオーバ制御等に用いられる制御信号を送受信する。
【００３４】
基地局ｅＮＢはコアネットワークＥＰＣに接続されている。基地局ｅＮＢは、コアネットワークＥＰＣとの通信のための論理インターフェイスであるＳ１インターフェイスを用いて、コアネットワークＥＰＣ、具体的には、移動管理装置ＭＭＥ及びゲートウェイ装置Ｓ−ＧＷと通信可能である。
【００３５】
移動管理装置ＭＭＥは、主にユーザ認証やページング、他システムとの相互接続等を可能にするためのコントロールプレーン機能を実行する。移動管理装置ＭＭＥは、Ｓ１インターフェイスの一種であるＳ１-ＭＭＥインターフェイスを用いて制御信号を基地局ｅＮＢと送受信する。
【００３６】
ゲートウェイ装置Ｓ−ＧＷは、ユーザデータを転送するためのユーザプレーン機能を実行する。ゲートウェイ装置Ｓ−ＧＷは、Ｓ１インターフェイスの一種であるＳ１-Ｕインターフェイスを用いてデータパケットを基地局ｅＮＢと送受信する。
【００３７】
（１．２）ＲＯＨＣプロトコルの概要
ＲＯＨＣプロトコルは、音声通信やビデオストリームなどの連続したデータストリームの快適な送受信を目的としてＲＦＣ３０９５，３４０８，３８４３，４０１９，４３６２，４９９６，５２２５等で策定されており、ＩＥＴＦ標準化技術として別途規定されている。また、ＲＯＨＣプロトコルは、ＩＰ，ＵＤＰ，ＲＴＰなど様々なパケットフォーマットに対応しており、各データパケットのヘッダ部の圧縮に使用される。
【００３８】
図２は、ＲＯＨＣコンプレッサ及びＲＯＨＣデコンプレッサを説明するための図である。
【００３９】
図２に示すように、無線端末ＵＥ及び基地局ｅＮＢは、無線区間を介して送受信するパケットにおけるヘッダの占める割合、すなわちオーバヘッドを低減するために、下りリンク及び上りリンクのそれぞれについてＲＯＨＣプロトコル（RFC3095）を用いてヘッダ圧縮パケットを送受信する。なお、下りリンクとは、コアネットワークＥＰＣから無線端末ＵＥに向かう方向の通信を意味し、上りリンクとは、無線端末ＵＥからコアネットワークＥＰＣに向かう方向の通信を意味する。
【００４０】
基地局ｅＮＢは、下りリンクについてはＲＯＨＣコンプレッサの機能を有し、上りリンクについてはＲＯＨＣデコンプレッサの機能を有する。無線端末ＵＥは、下りリンクについてはＲＯＨＣデコンプレッサの機能を有し、上りリンクについてはＲＯＨＣコンプレッサの機能を有する。
【００４１】
これに対し、基地局ｅＮＢ及びゲートウェイ装置Ｓ−ＧＷは、トンネリングプロトコルであるＧＴＰ−Ｕ（GPRS Tunneling Protocol for User Plane）プロトコルを用いてヘッダ非圧縮パケットを送受信する。
【００４２】
図３は、ＲＴＰ／ＵＤＰ／ＩＰヘッダのパケットヘッダフィールドを示す図である。
【００４３】
図３に示すように、ＲＯＨＣプロトコルでは、連続するパケット間におけるＲＴＰ／ＵＤＰ／ＩＰヘッダの整合性に着目し、ＲＯＨＣコンプレッサは、ＲＯＨＣコンテキストを使用して、固定されている値、及び推定可能な値（すなわち、規則性を有する値）の送信を省略し、推定可能な値を算出するための情報と、推定不可能でかつ毎回変わる情報とを送信する。
【００４４】
「固定されている値」とは、ＩＰ  ｖｅｒｓｉｏｎなどである。「固定されている値」に分類される値は、システムなどに依存して、通信中はパラメータが固定される。そのため、一度通信が開始されると値が変更することはないため、各ＲＯＨＣ(ＵＥとｅＮＢ)にてＲＯＨＣコンテキストとしてこの情報を共有することで省略(圧縮)可能になる。
【００４５】
「規則性を有する値」とは、タイムスタンプなどである。「規則性を有する値」に分類される値は、プロトコルに依存して、パラメータが規則正しく変化するという特徴を持つ。タイムスタンプは音声コーデックなどに依存して、パケットごとに等差数列を形成するようにパラメータが割り振られる。そのため、初期値及び増分など計算に必要なパラメータをＲＯＨＣコンテキストとして共有できれば省略(圧縮)可能になる。
【００４６】
「推定不可能な値」とは、ＵＤＰチェックサムなどである。ＲＯＨＣによる圧縮は不可能とされており、圧縮できないフィールドを指す。
【００４７】
ＲＯＨＣコンプレッサは、圧縮レベルが低い状態では、固定されている値の送信を省略する。ＲＯＨＣコンプレッサは、圧縮レベルが高い状態では、固定されている値に加え、推定可能な値の送信を省略する。ＲＯＨＣデコンプレッサは、ヘッダ圧縮されたＲＯＨＣパケット（ヘッダ圧縮パケット）を受信すると、ＲＯＨＣコンテキストを使用して、送信が省略された値を補完することでヘッダ解凍を行う。
【００４８】
図４は、ＲＯＨＣコンテキストを説明するための図である。
【００４９】
図４に示すように、ＲＯＨＣコンテキストは、固定されている値として分類されるべきパケットヘッダフィールドの各パラメータからなる部分（Static chain partと称される）を含む。圧縮レベルが高い状態では、ＲＯＨＣコンテキストは、規則性を有する値として分類されるべきパケットヘッダフィールドの各パラメータの算出に使用する値からなる部分（Dynamic chain partと称される）をさらに含む。ＲＯＨＣコンプレッサ及びＲＯＨＣデコンプレッサのそれぞれでＲＯＨＣコンテキストが構築されていくのに従って、ヘッダ圧縮レベルを順次上昇させることができる。
【００５０】
図５は、ＲＯＨＣプロトコルで規定されたヘッダ圧縮レベルを説明するための図である。
【００５１】
図５に示すように、ＲＯＨＣプロトコルでは、３つの動作モードが用意されている。具体的には、単方向モード（以下、「Ｕモード」と称する）と、双方向楽観モード（以下、「Ｏモード」と称する）と、双方向高信頼モード（以下、「Ｒモード」と称する）が用意されている。ＵモードはＲＯＨＣデコンプレッサからのフィードバック情報が得られない場合に適用され、Ｏモード及びＲモードはＲＯＨＣデコンプレッサからのフィードバック情報が得られる場合に適用される。
【００５２】
Ｕモード、ＯモードおよびＲモードのそれぞれにおいては、３つの圧縮状態（ヘッダ圧縮レベル）が規定されている。具体的には、初期化・リフレッシュ状態（ＩＲ状態）、一次圧縮状態（ＦＯ状態）、二次圧縮状態（ＳＯ状態）が規定されている。ＩＲ状態は、初期状態であり、ＲＯＨＣコンプレッサではエラー後の回復時等にＩＲ状態に遷移する。ＩＲ状態においては、ヘッダは圧縮されず、完全なヘッダを含むパケット（いわゆる、ＩＲパケット）が送信される。ＦＯ状態は、ヘッダが一部圧縮されている状態であり、ＳＯ状態よりもヘッダ圧縮レベルの低い状態である。ＳＯ状態は、ヘッダ圧縮レベルが最も高い状態である。ＳＯ状態では、ＲＴＰシーケンス番号のみが送信される。なお、ＩＲ状態、ＦＯ状態、及びＳＯ状態のそれぞれにおいては、複数段階のヘッダ圧縮レベルが規定されている。
【００５３】
ＲＯＨＣコンテキストが構築されていくのに従って、ＩＲ状態からＦＯ状態、ＦＯ状態からＳＯ状態に順次遷移する。しかし、ソース基地局ｅＮＢ＃１からターゲット基地局ｅＮＢ＃２への無線端末ＵＥのハンドオーバ手順が行われると、ターゲット基地局ｅＮＢ＃２と無線端末ＵＥとの間でＲＯＨＣコンテキストの構築を最初からやり直す必要があるため、ハンドオーバ前においてＦＯ状態又はＳＯ状態で動作していても、ハンドオーバ後においてはＩＲ状態に初期化されてしまい、オーバーヘッドが増大する。
【００５４】
そこで、本実施形態では、ハンドオーバ手順の過程でターゲット基地局ｅＮＢ＃２がＲＯＨＣコンテキストを生成することにより、ハンドオーバ後においてハンドオーバ前と同じ圧縮状態（ヘッダ圧縮レベル）を実現する。
【００５５】
（２）内部ブロック構成
次に、移動通信システム１の内部ブロック構成について、（２．１）基地局の構成、（２．２）無線端末の構成の順に説明する。
【００５６】
（２．１）基地局の構成
図６（ａ）は、ソース基地局ｅＮＢ＃１の構成を示すブロック図である。図６（ａ）に示すように、ソース基地局ｅＮＢ＃１は、無線通信部１１０＃１と、ネットワーク通信部１２０＃１と、記憶部１３０＃１と、制御部１４０＃１とを有する。
【００５７】
無線通信部１１０＃１は、アンテナを介して無線通信を行うように構成される。送信については、無線通信部１１０＃１は、制御部１４０＃１から入力されるベースバンド信号のアップコンバート及び増幅等を行って無線信号をアンテナから出力する。受信については、無線通信部１１０＃１は、アンテナから入力される受信信号の増幅及びダウンコンバート等を行った後、ベースバンド信号を制御部１４０＃１に出力する。
【００５８】
ネットワーク通信部１２０＃１は、コアネットワークＥＰＣ及びターゲット基地局ｅＮＢ＃２との通信を行う。具体的には、ネットワーク通信部１２０＃１は、Ｓ１インターフェイスを用いて、ゲートウェイ装置Ｓ−ＧＷ及び移動管理装置ＭＭＥとの通信を行う。また、ネットワーク通信部１２０＃１は、Ｘ２インターフェイスを用いて、ターゲット基地局ｅＮＢ＃２との基地局間通信を行う。
【００５９】
記憶部１３０＃１は、例えばメモリを用いて構成されており、制御部１４０＃１による制御等に用いられる各種の情報を記憶すると共に、バッファとしても使用される。また、記憶部１３０＃１は、ＲＯＨＣコンテキストを記憶する。制御部１４０＃１は、例えばＣＰＵを用いて構成されており、ソース基地局ｅＮＢ＃１の各種の機能（無線通信部１１０＃１やネットワーク通信部１２０＃１等）を制御する。制御部１４０＃１は、下りリンクについてはＲＯＨＣコンプレッサとして機能し、上りリンクについてはＲＯＨＣデコンプレッサとして機能する。
【００６０】
図６（ｂ）は、ターゲット基地局ｅＮＢ＃２の構成を示すブロック図である。図６（ｂ）に示すように、ターゲット基地局ｅＮＢ＃２は、無線通信部１１０＃２と、ネットワーク通信部１２０＃２と、記憶部１３０＃２と、制御部１４０＃２とを有する。
【００６１】
無線通信部１１０＃２は、アンテナを介して無線通信を行うように構成される。送信については、無線通信部１１０＃２は、制御部１４０＃２から入力されるベースバンド信号のアップコンバート及び増幅等を行って無線信号をアンテナから出力する。受信については、無線通信部１１０＃２は、アンテナから入力される受信信号の増幅及びダウンコンバート等を行った後、ベースバンド信号を制御部１４０＃２に出力する。
【００６２】
ネットワーク通信部１２０＃２は、コアネットワークＥＰＣ及びソース基地局ｅＮＢ＃１との通信を行う。具体的には、ネットワーク通信部１２０＃２は、Ｓ１インターフェイスを用いて、ゲートウェイ装置Ｓ−ＧＷ及び移動管理装置ＭＭＥとの通信を行う。また、ネットワーク通信部１２０＃２は、Ｘ２インターフェイスを用いて、ソース基地局ｅＮＢ＃１との基地局間通信を行う。
【００６３】
記憶部１３０＃２は、例えばメモリを用いて構成されており、制御部１４０＃２による制御等に用いられる各種の情報を記憶すると共に、バッファとしても使用される。また、記憶部１３０＃２は、ＲＯＨＣコンテキストを記憶する。制御部１４０＃２は、例えばＣＰＵを用いて構成されており、ソース基地局ｅＮＢ＃２の各種の機能（無線通信部１１０＃２やネットワーク通信部１２０＃２等）を制御する。制御部１４０＃２は、下りリンクについてはＲＯＨＣコンプレッサとして機能し、上りリンクについてはＲＯＨＣデコンプレッサとして機能する。
【００６４】
（２．２）無線端末の構成
図７は、無線端末ＵＥの構成を示すブロック図である。図７に示すように、無線端末ＵＥは、無線通信部２１０と、ユーザインターフェイス部２２０と、記憶部２３０と、制御部２４０と、バッテリ２５０とを有する。
【００６５】
無線通信部２１０は、アンテナを介して基地局ｅＮＢとの無線通信を行うように構成される。送信については、無線通信部２１０は、制御部２４０から入力されるベースバンド信号のアップコンバート及び増幅等を行って無線信号をアンテナから出力する。受信については、無線通信部２１０は、アンテナから入力される受信信号の増幅及びダウンコンバート等を行った後、ベースバンド信号を制御部２４０に出力する。ユーザインターフェイス部２２０は、ユーザとのインターフェイスとして機能するディスプレイやボタン等である。
【００６６】
記憶部２３０は、例えばメモリを用いて構成されており、無線端末ＵＥの制御等に用いられる各種の情報を記憶する。記憶部２３０は、ＲＯＨＣコンテキストを記憶する。制御部２４０は、例えばＣＰＵを用いて構成されており、無線端末ＵＥが備える各種の機能（無線通信部２１０やユーザインターフェイス部２２０等）を制御する。制御部２４０は、下りリンクについてはＲＯＨＣデコンプレッサとしての機能を実行し、上りリンクについてはＲＯＨＣコンプレッサとしての機能を実行する。バッテリ２５０は、無線端末ＵＥの各ブロックに供給すべき電力を蓄える。
【００６７】
（３）ハンドオーバ手順の概要
次に、本実施形態に係るハンドオーバ手順の概要を説明する。ここでは、ＲＯＨＣ通信を実行中の無線端末ＵＥがソース基地局ｅＮＢ＃１からターゲット基地局ｅＮＢ＃２へのハンドオーバを行うケースを説明する。
【００６８】
図８は、本実施形態に係るハンドオーバ手順の概要を説明するためのシーケンス図である。図８では、下位レイヤ（レイヤ１及びレイヤ２）シグナリング等の一部シーケンスの図示を省略している。ハンドオーバ手順は、ハンドオーバ準備段階と、ハンドオーバ実行段階と、ハンドオーバ完了段階とを含む。
【００６９】
図８に示すように、ステップＳ１０１において、ソース基地局ｅＮＢ＃１は、下りリンクについての測定を無線端末ＵＥに指示する。
【００７０】
ステップＳ１０２において、無線端末ＵＥ及びソース基地局ｅＮＢ＃１は無線区間を介してヘッダ圧縮パケットを送受信し、ステップＳ１０３において、ソース基地局ｅＮＢ＃１及びゲートウェイ装置Ｓ−ＧＷはバックホールを介してヘッダ非圧縮パケットを送受信する。
【００７１】
ステップＳ１０３において、無線端末ＵＥは、測定結果の報告メッセージをソース基地局ｅＮＢ＃１に送信する。ステップＳ１０４において、ソース基地局ｅＮＢ＃１は、無線端末ＵＥからの報告に基づいて、ハンドオーバ手順を開始するか否かを判断する。ここでは、ソース基地局ｅＮＢ＃１がハンドオーバ手順を開始すると判断したものとする。
【００７２】
ステップＳ１０５において、ソース基地局ｅＮＢ＃１は、ターゲット基地局ｅＮＢ＃２がハンドオーバの準備を行うための情報を含むハンドオーバ要求メッセージをターゲット基地局ｅＮＢ＃２に送信する。ステップＳ１０６において、ターゲット基地局ｅＮＢ＃２は、ハンドオーバ要求メッセージに応じて、無線端末ＵＥの受け入れを許容するか否かを判断する。ここでは、ソース基地局ｅＮＢ＃１が無線端末ＵＥの受け入れを許容すると判断したものとする。ステップＳ１０７において、ターゲット基地局ｅＮＢ＃２は、無線端末ＵＥがターゲット基地局ｅＮＢ＃２に接続するための情報を含むハンドオーバ肯定応答メッセージをソース基地局ｅＮＢ＃１に送信する。
【００７３】
なお、ステップＳ１０５〜ステップＳ１０７の各処理は、ハンドオーバ手順のうちのハンドオーバ準備段階に相当する。
【００７４】
ステップＳ１０８において、ソース基地局ｅＮＢ＃１は、無線端末ＵＥがターゲット基地局ｅＮＢ＃２との接続を行うための情報を無線端末ＵＥに通知するとともに、ターゲット基地局ｅＮＢ＃２へのハンドオーバを無線端末ＵＥに指示する。
【００７５】
ステップＳ１０９において、無線端末ＵＥは、ソース基地局ｅＮＢ＃１との接続を切断し、ターゲット基地局ｅＮＢ＃２との同期を開始する。無線端末ＵＥは、ソース基地局ｅＮＢ＃１との接続を切断しても、ソース基地局ｅＮＢ＃１との間で使用していたＲＯＨＣコンテキストを破棄せずに保持する。
【００７６】
ステップＳ１１０において、ソース基地局ｅＮＢ＃１は、送信未完了としてバッファに保持されている下り・上り両リンクのデータパケットのフォワーディングを開始すると決定する。ステップＳ１１１において、ソース基地局ｅＮＢ＃１は、無線端末ＵＥとのデータパケット送受信の状況を示すSN Status Transferメッセージをターゲット基地局ｅＮＢ＃２に送信する。ステップＳ１１２において、ソース基地局ｅＮＢ＃１は、送信未完了としてバッファに保持されている下り・上り両リンクのデータパケットをターゲット基地局ｅＮＢ＃２にフォワーディングする。
【００７７】
ここで、下りリンクについては、ソース基地局ｅＮＢ＃１は、ＲＯＨＣコンテキストを使用して、フォワーディングすべきデータパケットに対するヘッダ圧縮を行い、該ヘッダ圧縮により得られたヘッダ圧縮パケットをターゲット基地局ｅＮＢ＃２にフォワーディングする。一方、上りリンクについては、ソース基地局ｅＮＢ＃１は、フォワーディングすべきデータパケットをそのままターゲット基地局ｅＮＢ＃２にフォワーディングする。すなわち、上りリンクについては、ソース基地局ｅＮＢ＃１は、ヘッダ非圧縮パケット（ヘッダが圧縮されていないデータパケット）をフォワーディングする。
【００７８】
ステップＳ１１３において、ターゲット基地局ｅＮＢ＃２は、ソース基地局ｅＮＢ＃１からフォワーディングされた下りリンクのヘッダ圧縮パケットと、ソース基地局ｅＮＢ＃１からフォワーディングされた上りリンクのヘッダ非圧縮パケットとを受信し、該下りリンクのヘッダ圧縮パケット及び該上りリンクのヘッダ非圧縮パケットを保持する。
【００７９】
ステップＳ１１４において、無線端末ＵＥは、ターゲット基地局ｅＮＢ＃２との接続に成功すると、その旨のメッセージをターゲット基地局ｅＮＢ＃２に送信する。
【００８０】
なお、ステップＳ１０８〜ステップＳ１１４の各処理は、ハンドオーバ手順のうちのハンドオーバ実行段階に相当する。
【００８１】
ステップＳ１１５において、ターゲット基地局ｅＮＢ＃２は、ステップＳ１１３で保持した下りリンクのヘッダ圧縮パケットを無線端末ＵＥに送信する。無線端末ＵＥは、保持しているＲＯＨＣコンテキストを使用して、受信した下りリンクのヘッダ圧縮パケットのヘッダ解凍を行う。また、無線端末ＵＥは、保持しているＲＯＨＣコンテキストを使用して得られたヘッダ圧縮パケットをターゲット基地局ｅＮＢ＃２に送信する。
【００８２】
ターゲット基地局ｅＮＢ＃２は、ステップＳ１１２でソース基地局ｅＮＢ＃１からフォワーディングされた上りリンクのヘッダ非圧縮パケットと、ステップＳ１１５で無線端末ＵＥから送信された上りリンクのヘッダ圧縮パケットとを使用して、上りリンクについてのＲＯＨＣコンテキストを生成する。該生成処理の詳細については後述する。
【００８３】
ステップＳ１１６において、ターゲット基地局ｅＮＢ＃２は、ステップＳ１１５で無線端末ＵＥから受信したデータパケットをゲートウェイ装置Ｓ−ＧＷに送信する。
【００８４】
ステップＳ１１７において、ターゲット基地局ｅＮＢ＃２は、ハンドオーバに伴う経路切り替え要求メッセージを移動管理装置ＭＭＥに送信する。ステップＳ１１８において、移動管理装置ＭＭＥは、受信した要求メッセージに応じて、ユーザプレーンに対する更新要求メッセージをゲートウェイ装置Ｓ−ＧＷに送信する。ステップＳ１１９において、ゲートウェイ装置Ｓ−ＧＷは、受信した要求メッセージに応じて、下りリンクの経路をソース基地局ｅＮＢ＃１からターゲット基地局ｅＮＢ＃２側に切り替える。ステップＳ１２０において、ゲートウェイ装置Ｓ−ＧＷは、経路切り替えを通知するためのEnd Markerをソース基地局ｅＮＢ＃１に送信する。
【００８５】
ステップＳ１２１において、ターゲット基地局ｅＮＢ＃２及びゲートウェイ装置Ｓ−ＧＷは、バックホールを介してヘッダ非圧縮パケットを送受信する。
【００８６】
ターゲット基地局ｅＮＢ＃２は、ステップＳ１１２でソース基地局ｅＮＢ＃１からフォワーディングされた下りリンクのヘッダ圧縮パケットと、ステップＳ１２１でゲートウェイ装置Ｓ−ＧＷから送信された下りリンクのヘッダ非圧縮パケットとを使用して、下りリンクについてのＲＯＨＣコンテキストを生成する。該生成処理の詳細については後述する。
【００８７】
ステップＳ１２２において、ソース基地局ｅＮＢ＃１は、フォワーディング完了を示すEnd Markerをターゲット基地局ｅＮＢ＃２に送信する。
【００８８】
ステップＳ１２３において、ゲートウェイ装置Ｓ−ＧＷは、ユーザプレーンの更新完了を示す応答メッセージを移動管理装置ＭＭＥに送信する。ステップＳ１２４において、移動管理装置ＭＭＥは、ターゲット基地局ｅＮＢ＃２からの経路切り替えの要求メッセージに対する応答メッセージをターゲット基地局ｅＮＢ＃２に送信する。ステップＳ１２５において、ターゲット基地局ｅＮＢ＃２は、ハンドオーバの成功を通知するためのメッセージをソース基地局ｅＮＢ＃１に送信する。ステップＳ１２６において、ソース基地局ｅＮＢ＃１は、無線端末ＵＥに対する自局のリソースを開放する。
【００８９】
なお、ステップＳ１１５〜ステップＳ１２６の各処理は、ハンドオーバ手順のうちのハンドオーバ完了段階に相当する。
【００９０】
このようなハンドオーバ手順の過程において、ターゲット基地局ｅＮＢ＃２は、下り・上り両リンクについてのＲＯＨＣコンテキストを生成している。また、無線端末ＵＥは、下り・上り両リンクについてのＲＯＨＣコンテキストを保持しながらハンドオーバ手順を行っている。
【００９１】
よって、ターゲット基地局ｅＮＢ＃２及び無線端末ＵＥは、ハンドオーバ手順が完了した時点で、ハンドオーバ手順の開始前と同じヘッダ圧縮レベルでのＲＯＨＣ通信を開始可能な状態になっている。従って、ハンドオーバ手順完了後のターゲット基地局ｅＮＢ＃２及び無線端末ＵＥの通信開始と同時に、高いヘッダ圧縮レベルでのＲＯＨＣ通信が開始される。
【００９２】
（４）下りリンクに係るＲＯＨＣコンテキスト生成動作
次に、下りリンクに係る移動通信システム１の動作について、（４．１）下りリンクに係る概略動作、（４．２）下りリンクに係るソース基地局の詳細動作例、（４．３）下りリンクに係るターゲット基地局の詳細動作例の順に説明する。
【００９３】
（４．１）下りリンクに係る概略動作
図９は、下りリンクに係るＲＯＨＣコンテキスト生成動作の概要を説明するための図である。
【００９４】
図９に示すように、第１に、基地局ｅＮＢ＃１の制御部１４０＃１は、基地局ｅＮＢ＃１から基地局ｅＮＢ＃２への無線端末ＵＥのハンドオーバ手順の際に、無線端末ＵＥ宛てのヘッダ圧縮パケットを基地局ｅＮＢ＃２にフォワーディングするようネットワーク通信部１２０＃１を制御する。基地局ｅＮＢ＃２の制御部１４０＃２は、フォワーディングされたヘッダ圧縮パケットをネットワーク通信部１２０＃２が受信すると、該ヘッダ圧縮パケットを記憶部１３０＃２に記憶させる。
【００９５】
第２に、ゲートウェイ装置Ｓ−ＧＷは、無線端末ＵＥ宛てのヘッダ非圧縮パケットを基地局ｅＮＢ＃２に送信する。基地局ｅＮＢ＃２の制御部１４０＃２は、ゲートウェイ装置Ｓ−ＧＷからのヘッダ非圧縮パケットをネットワーク通信部１２０＃２が受信すると、フォワーディングされたヘッダ圧縮パケットと、ゲートウェイ装置Ｓ−ＧＷからのヘッダ非圧縮パケットとを使用して、該ヘッダ圧縮パケットのヘッダ圧縮レベルに対応するＲＯＨＣコンテキストを生成する。基地局ｅＮＢ＃２の制御部１４０＃２は、生成したＲＯＨＣコンテキストを記憶部１３０＃２に記憶させる。
【００９６】
第３に、ハンドオーバ手順の完了後に、ゲートウェイ装置Ｓ−ＧＷからのヘッダ非圧縮パケットをネットワーク通信部１２０＃２が受信すると、基地局ｅＮＢ＃２の制御部１４０＃２は、生成したＲＯＨＣコンテキストを使用して、ゲートウェイ装置Ｓ−ＧＷからのヘッダ未圧縮パケットに対するヘッダ圧縮を行う。そして、基地局ｅＮＢ＃２の制御部１４０＃２は、該ヘッダ圧縮により得られたヘッダ圧縮パケットを無線端末ＵＥに送信するよう無線通信部１１０＃２を制御する。
【００９７】
（４．２）下りリンクに係るソース基地局の詳細動作例
図１０は、下りリンクに係るソース基地局ｅＮＢ＃１の動作を示すフローチャートである。
【００９８】
図１０に示すように、ステップＳ２０１において、基地局ｅＮＢ＃１のネットワーク通信部１２０＃１は、ターゲット基地局ｅＮＢ＃２からのHandover Request Ackメッセージ（図８のステップＳ１０７参照）を受信する。
【００９９】
ステップＳ２０２において、基地局ｅＮＢ＃１の制御部１４０＃１は、ＲＯＨＣコンテキストを使用して、記憶部１３０＃１にバッファされている下りリンクの未送信データパケットのヘッダ圧縮を行う。
【０１００】
ステップＳ２０３において、基地局ｅＮＢ＃１の制御部１４０＃１は、SN Status transferメッセージ（図８のステップＳ１１１参照）をターゲット基地局ｅＮＢ＃２に送信するようネットワーク通信部１２０＃１を制御する。
【０１０１】
ステップＳ２０４において、基地局ｅＮＢ＃１の制御部１４０＃１は、ステップＳ２０２で得られたヘッダ圧縮パケットをターゲット基地局ｅＮＢ＃２にフォワーディング（図８のステップＳ１１２参照）するようネットワーク通信部１２０＃１を制御する。
【０１０２】
ステップＳ２０５において、基地局ｅＮＢ＃１の制御部１４０＃１は、フォワーディングが完了すると、その旨のEnd Marker（図８のステップＳ１２２参照）をターゲット基地局ｅＮＢ＃２に送信するようネットワーク通信部１２０＃１を制御する。
【０１０３】
（４．３）下りリンクに係るターゲット基地局の詳細動作例
図１１は、下りリンクに係るターゲット基地局ｅＮＢ＃２の動作を示すフローチャートである。
【０１０４】
図１１に示すように、ステップＳ３０１において、基地局ｅＮＢ＃２のネットワーク通信部１２０＃２は、ソース基地局ｅＮＢ＃１からのSN Status transferメッセージ（図８のステップＳ１１１参照）を受信する。その後、基地局ｅＮＢ＃２のネットワーク通信部１２０＃２は、フォワーディングパケットの受信を開始する。また、基地局ｅＮＢ＃２のネットワーク通信部１２０＃２は、ゲートウェイ装置Ｓ−ＧＷからのヘッダ非圧縮パケットの受信を開始する。
【０１０５】
ステップＳ３０２において、基地局ｅＮＢ＃２の制御部１４０＃２は、ネットワーク通信部１２０＃２が受信したフォワーディングパケットがＲＯＨＣ圧縮されているか否かを確認する。
【０１０６】
フォワーディングパケットがＲＯＨＣ圧縮されていない場合（ステップＳ３０２；ＮＯ）、基地局ｅＮＢ＃２の制御部１４０＃２は、該フォワーディングパケット（ヘッダ非圧縮パケット）を無線端末ＵＥに送信するよう無線通信部１１０＃２を制御する（ステップＳ３０９）。
【０１０７】
一方、フォワーディングパケットがＲＯＨＣ圧縮されている場合（ステップＳ３０２；ＹＥＳ）、基地局ｅＮＢ＃２の制御部１４０＃２は、処理をステップＳ３０３に進める。
【０１０８】
ステップＳ３０３において、基地局ｅＮＢ＃２の制御部１４０＃２は、フォワーディングパケットとしてのヘッダ圧縮パケットを解析し、該ヘッダ圧縮パケットのヘッダ圧縮レベルを特定する。例えば、予め基地局ｅＮＢ＃２の記憶部１３０＃２に記憶されているヘッダ圧縮レベル毎のヘッダ圧縮パターン（ヘッダ省略パターン）とのマッチングを行うことで、フォワーディングパケットとしてのヘッダ圧縮パケットのヘッダ圧縮レベルを特定する。あるいは、フォワーディングパケットとしてのヘッダ圧縮パケットとゲートウェイ装置Ｓ−ＧＷからのヘッダ非圧縮パケットとの差分を求め、該差分に基づいてフォワーディングパケットとしてのヘッダ圧縮パケットのヘッダ圧縮レベルを特定してもよい。
【０１０９】
ステップＳ３０４において、基地局ｅＮＢ＃２の制御部１４０＃２は、ゲートウェイ装置Ｓ−ＧＷからの２個以上のヘッダ非圧縮パケット（ＧＴＰパケット）をネットワーク通信部１２０＃２が受信したか否かを確認する。なお、Dynamic chain partを算出するためには、複数個のヘッダ非圧縮パケットが必要になる。
【０１１０】
ゲートウェイ装置Ｓ−ＧＷからの２個以上のヘッダ非圧縮パケットをネットワーク通信部１２０＃２が受信していない場合（ステップＳ３０４；ＮＯ）、基地局ｅＮＢ＃２の制御部１４０＃２は、該フォワーディングパケット（ヘッダ非圧縮パケット）を無線端末ＵＥに送信するよう無線通信部１１０＃２を制御する（ステップＳ３０９）。
【０１１１】
一方、ゲートウェイ装置Ｓ−ＧＷからの２個以上のヘッダ非圧縮パケットをネットワーク通信部１２０＃２が受信している場合（ステップＳ３０４；ＹＥＳ）、基地局ｅＮＢ＃２の制御部１４０＃２は、処理をステップＳ３０５に進める。
【０１１２】
ステップＳ３０５において、基地局ｅＮＢ＃２の制御部１４０＃２は、ステップＳ３０３で特定したヘッダ圧縮レベルに基づき、ゲートウェイ装置Ｓ−ＧＷから受信した１つのヘッダ未圧縮パケットから、固定されている値として分類されるべきパケットヘッダフィールドの各パラメータ(Static chain)を取得する。ステップＳ３０５は、第１の取得ステップに相当する。取得されたStatic chainは、ＲＯＨＣコンテキストの少なくとも一部を構成する。
【０１１３】
ステップＳ３０６において、基地局ｅＮＢ＃２の制御部１４０＃２は、ステップＳ３０３で特定したヘッダ圧縮レベルに基づき、ゲートウェイ装置Ｓ−ＧＷから受信した無線端末ＵＥ宛ての複数のヘッダ未圧縮パケットを使用して、規則性を有する値として分類されるべきパケットヘッダフィールドの各パラメータの算出に使用する値（Dynamic chain）を取得する。ステップＳ３０６は、第２の取得ステップに相当する。取得されたDynamic chainは、ＲＯＨＣコンテキストの一部を構成する。ただし、ステップＳ３０３で特定したヘッダ圧縮レベルが低い場合には、ステップＳ３０６は省略されることがある。また、その際フォワーディングされてきたヘッダ圧縮パケットと圧縮レベルを合致させることが好ましい。
【０１１４】
基地局ｅＮＢ＃２の制御部１４０＃２は、このようにしてＲＯＨＣコンテキストを生成（ステップＳ３０７）すると、生成したＲＯＨＣコンテキストを記憶部１３０＃２に記憶させる。
【０１１５】
ステップＳ３０８において、基地局ｅＮＢ＃２の制御部１４０＃２は、記憶しているＲＯＨＣコンテキストを使用して、ゲートウェイ装置Ｓ−ＧＷからネットワーク通信部１２０＃２が受信したヘッダ非圧縮パケットのヘッダ圧縮を行う。
【０１１６】
ステップＳ３０９において、基地局ｅＮＢ＃２の制御部１４０＃２は、ステップＳ３０８により得られたヘッダ圧縮パケットを無線端末ＵＥに送信するよう無線通信部１１０＃２を制御する。
【０１１７】
（５）上りリンクに係るＲＯＨＣコンテキスト生成動作
次に、上りリンクに係る移動通信システム１の動作について、（５．１）上りリンクに係る概略動作、（５．２）上りリンクに係るソース基地局の詳細動作例、（５．３）上りリンクに係るターゲット基地局の詳細動作例の順に説明する。
【０１１８】
（５．１）上りリンクに係る概略動作
図１２は、上りリンクに係るＲＯＨＣコンテキスト生成動作の概要を説明するための図である。
【０１１９】
図１２に示すように、第１に、基地局ｅＮＢ＃１の制御部１４０＃１は、基地局ｅＮＢ＃１から基地局ｅＮＢ＃２への無線端末ＵＥのハンドオーバ手順の際に、無線端末ＵＥからのゲートウェイ装置Ｓ−ＧＷ宛てのヘッダ非圧縮パケットを基地局ｅＮＢ＃２にフォワーディングするようネットワーク通信部１２０＃１を制御する。基地局ｅＮＢ＃２の制御部１４０＃２は、フォワーディングされたヘッダ非圧縮パケットをネットワーク通信部１２０＃２が受信すると、該ヘッダ非圧縮パケットを記憶部１３０＃２に記憶させる。
【０１２０】
第２に、無線端末ＵＥは、ゲートウェイ装置Ｓ−ＧＷ宛てのヘッダ圧縮パケットを基地局ｅＮＢ＃２に送信する。基地局ｅＮＢ＃２の制御部１４０＃２は、無線端末ＵＥからのヘッダ圧縮パケットをネットワーク通信部１２０＃２が受信すると、フォワーディングされたヘッダ非圧縮パケットと、無線端末ＵＥからのヘッダ圧縮パケットとを使用して、該ヘッダ圧縮パケットのヘッダ圧縮レベルに対応するＲＯＨＣコンテキストを生成する。基地局ｅＮＢ＃２の制御部１４０＃２は、生成したＲＯＨＣコンテキストを記憶部１３０＃２に記憶させる。
【０１２１】
第３に、ハンドオーバ手順の完了後に、無線端末ＵＥからのヘッダ圧縮パケットを無線通信部１１０＃２が受信すると、基地局ｅＮＢ＃２の制御部１４０＃２は、生成したＲＯＨＣコンテキストを使用して、無線端末ＵＥからのヘッダ圧縮パケットに対するヘッダ解凍を行う。そして、基地局ｅＮＢ＃２の制御部１４０＃２は、該ヘッダ解凍により得られたヘッダ非圧縮パケットをゲートウェイ装置Ｓ−ＧＷに送信するようネットワーク通信部１２０＃２を制御する。
【０１２２】
（５．２）上りリンクに係るソース基地局の詳細動作例
図１３は、上りリンクに係るソース基地局ｅＮＢ＃１の動作を示すフローチャートである。
【０１２３】
図１３に示すように、ステップＳ４０１において、基地局ｅＮＢ＃１のネットワーク通信部１２０＃１は、ターゲット基地局ｅＮＢ＃２からのHandover Request Ackメッセージ（図８のステップＳ１０７参照）を受信する。
【０１２４】
ステップＳ４０２において、基地局ｅＮＢ＃１の制御部１４０＃１は、SN Status transferメッセージ（図８のステップＳ１１１参照）をターゲット基地局ｅＮＢ＃２に送信するようネットワーク通信部１２０＃１を制御する。
【０１２５】
ステップＳ４０３において、基地局ｅＮＢ＃１の制御部１４０＃１は、記憶部１３０＃１にバッファされている上りリンクの未送信データパケット（ヘッダ非圧縮パケット）をターゲット基地局ｅＮＢ＃２にフォワーディング（図８のステップＳ１１２参照）するようネットワーク通信部１２０＃１を制御する。
【０１２６】
ステップＳ４０４において、基地局ｅＮＢ＃１の制御部１４０＃１は、フォワーディングが完了すると、その旨のEnd Marker（図８のステップＳ１２２参照）をターゲット基地局ｅＮＢ＃２に送信するようネットワーク通信部１２０＃１を制御する。
【０１２７】
（５．３）上りリンクに係るターゲット基地局の詳細動作例
図１４は、上りリンクに係るターゲット基地局ｅＮＢ＃２の動作を示すフローチャートである。
【０１２８】
図１４に示すように、ステップＳ５０１において、基地局ｅＮＢ＃２のネットワーク通信部１２０＃２は、ソース基地局ｅＮＢ＃１からのSN Status transferメッセージ（図８のステップＳ１１１参照）を受信する。
【０１２９】
ステップＳ５０２において、基地局ｅＮＢ＃２の制御部１４０＃２は、上りリンクのフォワーディングパケット（ヘッダ非圧縮パケット）をネットワーク通信部１２０＃２が受信したか否かを確認する。上りリンクのフォワーディングパケットをネットワーク通信部１２０＃２が受信した場合（ステップＳ５０２；ＹＥＳ）、基地局ｅＮＢ＃２の制御部１４０＃２は、処理をステップＳ５０３に進める。
【０１３０】
ステップＳ５０３において、基地局ｅＮＢ＃２の制御部１４０＃２は、無線端末ＵＥからのヘッダ圧縮パケット（図８のステップＳ１１５参照）を無線通信部１１０＃２が受信したか否かを確認する。無線端末ＵＥからのヘッダ圧縮パケットを無線通信部１１０＃２が受信した場合（ステップＳ５０３；ＹＥＳ）、基地局ｅＮＢ＃２の制御部１４０＃２は、処理をステップＳ５０４に進める。
【０１３１】
ステップＳ５０４において、基地局ｅＮＢ＃２の制御部１４０＃２は、無線端末ＵＥからのヘッダ圧縮パケットを解析し、該ヘッダ圧縮パケットのヘッダ圧縮レベルを特定する。例えば、予め基地局ｅＮＢ＃２の記憶部１３０＃２に記憶されているヘッダ圧縮レベル毎のヘッダ圧縮パターン（ヘッダ省略パターン）とのマッチングを行うことで、無線端末ＵＥからのヘッダ圧縮パケットのヘッダ圧縮レベルを特定する。あるいは、無線端末ＵＥからのヘッダ圧縮パケットとフォワーディングパケットとしてのヘッダ非圧縮パケットとの差分を求め、該差分に基づいてフォワーディングパケットとしてのヘッダ圧縮パケットのヘッダ圧縮レベルを特定してもよい。
【０１３２】
ステップＳ５０５において、基地局ｅＮＢ＃２の制御部１４０＃２は、ステップＳ５０４で特定したヘッダ圧縮レベルに基づき、フォワーディングパケットとしての１つのヘッダ非圧縮パケットゲートから、固定されている値として分類されるべきパケットヘッダフィールドの各パラメータ(Static chain)を取得する。ステップＳ５０５は、第１の取得ステップに相当する。取得されたStatic chainは、ＲＯＨＣコンテキストの少なくとも一部を構成する。
【０１３３】
ステップＳ５０６において、基地局ｅＮＢ＃２の制御部１４０＃２は、フォワーディングパケットとしての２個以上のヘッダ非圧縮パケットをネットワーク通信部１２０＃２が受信したか否かを確認する。フォワーディングパケットとしての２個以上のヘッダ非圧縮パケットをネットワーク通信部１２０＃２が受信していない場合（ステップＳ５０６；ＮＯ）、基地局ｅＮＢ＃２の制御部１４０＃２は、処理をステップＳ５０８に進める。一方、フォワーディングパケットとしての２個以上のヘッダ非圧縮パケットをネットワーク通信部１２０＃２が受信している場合（ステップＳ５０６；ＹＥＳ）、基地局ｅＮＢ＃２の制御部１４０＃２は、処理をステップＳ５０７に進める。
【０１３４】
ステップＳ５０７において、基地局ｅＮＢ＃２の制御部１４０＃２は、ステップＳ５０４で特定したヘッダ圧縮レベルに基づき、ゲートウェイ装置Ｓ−ＧＷから受信した無線端末ＵＥ宛ての複数のヘッダ未圧縮パケットを使用して、規則性を有する値として分類されるべきパケットヘッダフィールドの各パラメータの算出に使用する値（Dynamic chain）を取得する。ステップＳ５０７は、第２の取得ステップに相当する。取得されたDynamic chainは、ＲＯＨＣコンテキストの一部を構成する。ただし、ステップＳ５０４で特定したヘッダ圧縮レベルが低い場合には、ステップＳ５０７は省略されることがある。
【０１３５】
基地局ｅＮＢ＃２の制御部１４０＃２は、このようにしてＲＯＨＣコンテキストを生成（ステップＳ５０８）すると、生成したＲＯＨＣコンテキストを記憶部１３０＃２に記憶させる。
【０１３６】
ステップＳ５０９において、基地局ｅＮＢ＃２の制御部１４０＃２は、記憶しているＲＯＨＣコンテキストを使用して、無線端末ＵＥから無線通信部１１０＃２が受信したヘッダ圧縮パケットのヘッダ解凍を行う。
【０１３７】
ステップＳ５１０において、基地局ｅＮＢ＃２の制御部１４０＃２は、ステップＳ５０９により得られたヘッダ非圧縮パケットをゲートウェイ装置Ｓ−ＧＷに送信するようネットワーク通信部１２０＃２を制御する。
【０１３８】
（６）実施形態の効果
以上説明したように、本実施形態によれば、ターゲット基地局ｅＮＢ＃２は、ハンドオーバ手順の際に、ソース基地局ｅＮＢ＃１からのヘッダ圧縮パケットと、コアネットワークＥＰＣからのヘッダ非圧縮パケットとを使用して、該ヘッダ圧縮パケットのヘッダ圧縮レベルに対応するＲＯＨＣコンテキストを生成する。そして、ターゲット基地局ｅＮＢ＃２は、ハンドオーバ手順の完了後において、ハンドオーバ手順の際に生成したＲＯＨＣコンテキストを使用して、ゲートウェイ装置Ｓ−ＧＷから受信したヘッダ非圧縮パケットに対するヘッダ圧縮を行うとともに、該ヘッダ圧縮により得られたヘッダ圧縮パケットを無線端末ＵＥに送信する。これにより、下りリンクについて、ハンドオーバ手順の前後においてヘッダ圧縮レベルを維持することができ、ハンドオーバ手順の完了後におけるオーバヘッド増大を抑制できる。さらに、下りリンクのフォワーディングデータがヘッダ圧縮されていることにより、フォワーディングデータのオーバーヘッドを削減でき、Ｘ２インターフェイス上のトラフィックを削減できる。
【０１３９】
また、本実施形態によれば、ターゲット基地局ｅＮＢ＃２は、ハンドオーバ手順の際に、ソース基地局ｅＮＢ＃１からのヘッダ非圧縮パケットと、無線端末ＵＥからのヘッダ圧縮パケットと使用して、該ヘッダ圧縮パケットのヘッダ圧縮レベルに対応するＲＯＨＣコンテキストを生成する。そして、ターゲット基地局ｅＮＢ＃２は、ハンドオーバ手順の完了後において、ハンドオーバ手順の際に生成したＲＯＨＣコンテキストを使用して、無線端末ＵＥから受信したヘッダ圧縮パケットに対するヘッダ解凍を行うとともに、該ヘッダ解凍により得られたヘッダ非圧縮パケットをゲートウェイ装置Ｓ−ＧＷに送信する。これにより、上りリンクについて、ハンドオーバ手順の前後においてヘッダ圧縮レベルを維持することができ、ハンドオーバ手順の完了後におけるオーバヘッド増大を抑制できる。
【０１４０】
特に、ＬＴＥにおいては、ハンドオーバ時にＲＯＨＣコンテキストをソース基地局ｅＮＢ＃１からターゲット基地局ｅＮＢ＃２に転送することは禁止されているが、本実施形態によれば、そのようなＬＴＥの制約を守りつつ、ハンドオーバ手順の完了後におけるオーバヘッド増大を抑制できる。
【０１４１】
（７）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１４２】
例えば、ソース基地局ｅＮＢ＃１及び無線端末ＵＥは、本実施形態に係るＲＯＨＣコンテキスト生成処理をターゲット基地局ｅＮＢ＃２がサポートしているか否かを確認し、サポートしていない場合には、一般的なＬＴＥのハンドオーバ手順を行ってもよい。具体的には、ソース基地局ｅＮＢ＃１は、ハンドオーバ中のＲＯＨＣコンテキスト生成が可能であるか否かを問い合わせるための情報をHandover Requestメッセージ（図８のステップＳ１０５参照）に含めて送信し、ターゲット基地局ｅＮＢ＃２は、該情報に応じて、ハンドオーバ中のＲＯＨＣコンテキスト生成が可能であるか否かを示す情報をHandover Request Ackメッセージ（図８のステップＳ１０７参照）に含めて送信する。ソース基地局ｅＮＢ＃１は、ハンドオーバ中のＲＯＨＣコンテキスト生成が可能である旨の情報を受信すると、無線端末ＵＥがソース基地局ｅＮＢ＃１との間で使用していたＲＯＨＣコンテキストを保持させるための情報を、ハンドオーバ指示（図８のステップＳ１０８参照）に含めて無線端末ＵＥに送信する。無線端末ＵＥは、ＲＯＨＣコンテキストを保持させるための情報をソース基地局ｅＮＢ＃１から受信した場合には、ソース基地局ｅＮＢ＃１との間で使用していたＲＯＨＣコンテキストを保持しながらハンドオーバ手順を行う。一方、ＲＯＨＣコンテキストを保持させるための情報をソース基地局ｅＮＢ＃１から受信しない場合には、無線端末ＵＥは、ソース基地局ｅＮＢ＃１との間で使用していたＲＯＨＣコンテキストをハンドオーバ時に破棄する。
【０１４３】
上述した実施形態では、ソース基地局ｅＮＢ＃１及びターゲット基地局ｅＮＢ＃２のそれぞれがＬＴＥの基地局である一例を説明したが、３ＧＰＰでは異なる無線アクセス技術（ＲＡＴ）間のハンドオーバもサポートされており、ソース基地局ｅＮＢ＃１及びターゲット基地局ｅＮＢ＃２の一方がＬＴＥ以外のＲＡＴの基地局であってもよい。
【０１４４】
また、上述した実施形態では、ヘッダ圧縮技術としてＲＯＨＣプロトコルを用いる一例を説明したが、コンテキストを使用してヘッダ圧縮及び解凍を行うヘッダ圧縮技術であればよく、ＲＯＨＣプロトコル以外のヘッダ圧縮技術に対して本発明を適用可能である。
【０１４５】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【０１４６】
ＥＰＣ…コアネットワーク、ＭＭＥ…移動管理装置、Ｓ−ＧＷ…ゲートウェイ装置、ＵＥ…無線端末、ｅＮＢ…基地局、１…移動通信システム、１１０…無線通信部、１２０…ネットワーク通信部、１３０…記憶部、１４０…制御部、２１０…無線通信部、２２０…ユーザインターフェイス部、２３０…記憶部、２４０…制御部、２５０…バッテリ
【図１】
0005734680.tif 000002
【図２】
0005734680.tif 000003
【図３】
0005734680.tif 000004
【図４】
0005734680.tif 000005
【図５】
0005734680.tif 000006
【図６】
0005734680.tif 000007
【図７】
0005734680.tif 000008
【図８】
0005734680.tif 000009
【図９】
0005734680.tif 000010
【図１０】
0005734680.tif 000011
【図１１】
0005734680.tif 000012
【図１２】
0005734680.tif 000013
【図１３】
0005734680.tif 000014
【図１４】
0005734680.tif 000015